(57)【特許請求の範囲】
【請求項１】
建築構造物の表面に形成された溝部にパイプ支持具を固定するための取付座を取り付ける取付座の取付構造であって、
前記取付座は、前記パイプ支持具のねじ部を螺着させる内ねじが形成された筒体よりなり、該筒体の一端には前記ねじ部が挿入される開口を有し、他端には前記溝部の溝底に固定するためのねじ体の軸部を、筒体内から外方に向けて挿通させる挿通孔が設けられ、外底面に回り止め突部が形成された底部を有しており、
前記取付座は、前記底部を前記溝部の溝底に配して起立させた状態で、前記挿通孔を通る軸を回転軸として回転できる寸法となっており、
前記取付座が、前記挿通孔より突出したねじ体で前記溝部の溝底に固定されるようになっていることを特徴とする取付座の取付構造。
【請求項２】
請求項１において、
前記取付座は前記底部側に鍔部を有した形状とされている、取付座の取付構造。
【発明の詳細な説明】
【技術分野】
【０００１】
本発明は、建築構造物の表面に形成された溝部にパイプ支持具を固定するための取付座の取付構造に関する。
【背景技術】
【０００２】
建物の外壁に竪樋などのパイプを取り付ける場合、上下方向に形成された溝部（縦溝）に沿って取り付けることがある。たとえば、外装パネルに形成された縦溝に沿ってパイプを取り付ける場合や、２枚の外装パネル間に形成された縦溝に沿ってパイプを取り付ける場合などがある（たとえば、特許文献１参照）。
【０００３】
このようにパイプを溝部に沿って取り付けるのは、パイプ支持具を下地壁にしっかりと固定するためである。
【先行技術文献】
【特許文献】
【０００４】
【特許文献１】特開２００８−１３３６０４号公報
【発明の概要】
【発明が解決しようとする課題】
【０００５】
しかしながら、上記外装パネルなどの溝部には溝幅寸法の小さいものがあり、手作業ではパイプ支持具の基端部を溝底へ取り付けしにくい場合がある。また、パイプ支持具を溝部に固定するために別体の取付座を用いれば取り付けがしやすくなるが、複数の部材を取り付ける必要があるため、弛みや外れに関するさらなる防止対策を検討しなければならない。
【０００６】
本発明は、このような事情を考慮して提案されたもので、その目的は、建築構造物の表面に形成された溝部へのパイプ支持具の取り付けをしやすくし、かつ弛みや外れが起こりにくくするための取付座の取付構造を提供することにある。
【課題を解決するための手段】
【０００７】
上記目的を達成するため、請求項１に記載の取付座の取付構造は、建築構造物の表面に形成された溝部にパイプ支持具を固定するための取付座を取り付ける取付座の取付構造であって、取付座は、パイプ支持具のねじ部を螺着させる内ねじが形成された筒体よりなり、筒体の一端にはねじ部が挿入される開口を有し、他端には溝部の溝底に固定するためのねじ体の軸部を、筒体内から外方に向けて挿通させる挿通孔が設けられ、外底面に回り止め突部が形成された底部を有しており、取付座は、底部を溝部の溝底に配して起立させた状態で、挿通孔を通る軸を回転軸として回転できる寸法となっており、取付座が、挿通孔より突出したねじ体で溝部の溝底に固定されるようになっていることを特徴とする。
請求項２に記載の取付座の取付構造では、取付座は底部側に鍔部を有した形状とされている。
【発明の効果】
【０００８】
請求項１に記載の取付座の取付構造によれば、上述の構成となっているため、建築構造物の表面に形成された溝部へのパイプ支持具の取り付けをしやすくできる。特に、取付座の底部の外底面に回り止め突部が形成されているため、パイプ支持具を取付座に螺着する際およびパイプ支持具を取り外す際にパイプ支持具にともなって回転することを防止できる。また、回り止め突部が形成されているため、いったん取付座が溝底に固定されたのちに弛んだり外れたりする可能性も低い。
【０００９】
請求項２に記載の取付座の取付構造によれば、底部側に鍔部があるため、筒体の軸部の径が小さくても底部の溝底への接触面を大きくできる。溝底への接触面を大きくできるので、取り付けがされた取付座の回転ずれが起こりにくくすることができる。
【図面の簡単な説明】
【００１０】
【図１】本発明の一実施形態に係る取付座の取付構造の説明図である。（ａ）は斜視図、（ｂ）は取付座の拡大斜視図である。
【図２】パイプ支持具の使用状態を示す分解斜視図である。
【図３】（ａ）は取付座の縦断面図、（ｂ）は取付座の取付構造を示す縦断面図である。
【図４】取付座の他の例の説明図である。（ａ）は斜視図、（ｂ）は背面図、（ｃ）は縦断面図である。
【発明を実施するための形態】
【００１１】
以下に、本発明の実施形態に係る取付座の取付構造およびその取付座について、添付図面を参照して説明する。
【００１２】
まず、取付座の取付構造およびその取付座の基本構成について説明する。
【００１３】
本取付座の取付構造は、建築構造物の表面に形成された溝部３にパイプ支持具２０を固定するための取付座１０を取り付けるようにした取付構造である。図１および図３に示すように、取付座１０は、パイプ支持具２０の基端部に形成されたねじ部２２ａを螺着させる内ねじ１２が形成された筒体よりなり、筒体の一端にはねじ部２２ａが挿入される開口１１を有し、他端には溝部３の溝底３ａに固定するためのねじ体１６の軸部１６ａを、筒体内から外方に向けて挿通させる挿通孔１３ａが設けられ、外底面に回り止め突部が形成された底部１３を有している。この取付座１０は、底部１３を溝部３の溝底３ａに配して起立させた状態で、挿通孔１３ａを通る軸を回転軸として回転できる寸法となっており、挿通孔１３ａより突出したねじ体１６で溝部３の溝底３ａに固定されるようになっている。
【００１４】
取付座１０を取り付ける建築構造物としては、たとえば図１のような外装パネル２が挙げられる。この外装パネル２は、建物の外壁などの下地壁１の表面に取り付けられ、溝部３の溝底３ａが下地壁１に当接するように配設される。溝部３としてはこのようなものに限られず、２枚の外装パネル２間に形成された溝部であってもよい。
【００１５】
図１〜図３に示した取付座の取付構造およびその取付座について、以下に詳述する。
【００１６】
図１に示した取付座１０は、竪樋などのパイプ３５を壁面に伝わせるように配設するためにパイプ３５を複数個所で支持するパイプ支持具２０を取り付けるための部材である（図２参照）。この取付座１０とパイプ支持具２０とを含んでパイプ取付具Ａを構成している。
【００１７】
パイプ支持具２０は、外装パネル２の溝部３に取り付ける取付座１０に取付固定される軸部２２と、パイプ３５をバンド部３２で抱持するパイプ抱持バンド３０を取り付ける取付部２１とを備えている。なお、取付座１０は溝部３を介して下地壁１に取付固定されるので、パイプ支持具２０は結果的に下地壁１に固定されることとなる。
【００１８】
パイプ支持具２０の軸部２２はボルト軸の形状とされ、基端部の所定の長さ分にねじ部２２ａ（雄ねじ）が形成されている。取付部２１はパイプ抱持バンド３０を取り付ける部位であり、扁平楕円形状に形成されており、パイプ抱持バンド３０の取付片部３１、３１が取付部２１を挟持するようにしてパイプ抱持バンド３０と連結されるようになっている。この取付部２１には、一対の取付片部３１、３１をそれぞれ２箇所の挿通孔３１ａ、３１ａを通じて、ボルト３３、ナット３４で固定するための長孔２１ａが開設されている。
【００１９】
なお、パイプ支持具２０の形状は図例のものに限られず、どのような形状のものであってもよく、取付部２１と、ねじ部２２ａが形成された軸部２２とを有したものであればよい。
【００２０】
取付座１０は、図１（ａ）（ｂ）および図３（ａ）（ｂ）に示すように正円の筒体とされる。取付座１０の一端はパイプ支持具２０の軸部２２を挿入できるように開口しており、内部にはパイプ支持具２０のねじ部２２ａと螺合する内ねじ１２（雌ねじ）が形成されている。取付座１０の他端には鍔部１３ｂを有した底部１３が形成されており、その底部１３には挿通孔１３ａが形成されている。この挿通孔１３ａはねじ体（ドリルビス１６）を筒体の内部から外方へ向けて挿通させるための丸孔である。
【００２１】
底部１３の外底面には、複数の回り止め突部１３ｃ、１３ｃ、・・・が挿通孔１３ａの周囲に形成されている。この回り止め突部１３ｃは起立面１３ｃａと傾斜面１３ｃｂとを有した突起であり、起立面１３ｃａが時計回り方向を向くものと、起立面１３ｃａが反時計回り方向を向くものとが交互に配されている。
【００２２】
この取付座１０は、筒体を横に向けた状態で外装パネル２の溝部３に底部１３が溝底３ａに当接するように配され、開口１１より挿入したドリルビス１６（ねじ体）の軸部１６ａを挿通孔１３ａより突出させ、さらに溝底３ａより突出させて、そのドリルビス１６で下地壁１に固定されるようになっている。また、パイプ支持具２０は、固定された取付座１０の内ねじ１２に螺合することで、溝部３への取付固定がなされる。
【００２３】
ようするに、パイプ支持具２０は、外装パネル２の溝部３の溝底３ａ、取付座１０を介して、しっかりと下地壁１に固定される。
【００２４】
このように、パイプ取付具Ａはパイプ支持具２０とは別体の取付座１０を含んだ構成であるため、パイプ支持具２０を直接溝底３ａにおいて取付固定しなくてもよく、パイプ支持具２０の取り付けをしやすくできる。
【００２５】
また、取付座１０の底部１３の外底面に回り止め突部１３ｃ、１３ｃ、・・が形成されているため、取付座１０をドリルビス１６で溝底３ａに固定すると、回り止め突部１３ｃには起立面１３ｃａが形成されているため、その後取付座１０が回転ずれを起こすおそれはほどんどない。さらに、パイプ支持具２０を取付座１０の内ねじ１２に対して螺進、螺退のいずれの操作をしたときに取付座１０が供回りするおそれもない。よって、パイプ支持具２０の取り付けがしやすい。
【００２６】
また、図１（ｂ）の回り止め突部１３ｃは、取付座１０の溝底３ａへの固定後に、パイプ支持具２０の螺進、螺退のいずれによる供回りも起こりにくいようになっているが、螺退の場合のみ供回りが起こりにくいようにしてもよい。つまり、パイプ支持具２０の螺退による回転方向にすべての起立面１３ｃａを向けるように回り止め突部１３ｃを形成したものでもよい。このようにすれば、少なくともパイプ支持具２０の取り外し操作により、取付座１０およびドリルビス１６が弛んだり外れたりするおそれはない。
【００２７】
なお、回り止め突部１３ｃの形状としては図１（ｂ）のものには限られず、微細な突起であってもよいし、連続凹凸であってもよい。図４に図示したような凹凸面であってもよい。ドリルビス１６による固定で溝底３ａに食い込むような突部であればよい。
【００２８】
また、本実施形態の取付座１０は底部１３に鍔部１３ｂが形成されているため、外底面を広く形成して溝底３ａとの接触面積を大きくでき、その結果、溝底３ａへの安定的な取り付けができる。
【００２９】
また、取付座１０は、図３（ｂ）に示すように、溝部３から前方に突出しないような寸法とすることが、美感の向上においては望ましい。
【００３０】
また、取付座１０は、外形が楕円や角形状の筒体であってもよい。外形が楕円の場合、その長径を溝部３の長手方向に沿うように取り付ければ、取付座１０の固定はより安定化し、パイプ支持具２０の上下方向のぐらつきを緩和することができる。
【００３１】
また、取付座１０は図４に示したような形状であってもよい。図４に示した取付座１０は、開口１１、内ねじ１２、底部１３、挿通孔１３ａが形成されている点では図１のものと同じである。さらにこの取付座１０には、その一端から他端（底部１３）にいたるまで、図４（ａ）〜（ｃ）に示すように、１本のスリット１４が形成されている。このスリット１４は底部１３の挿通孔１３ａにも及んでおり、スリット１４、挿通孔１３ａ間は連通している。なお、この取付座１０も図１のものと同様、底部１３に鍔部１３ｂ（図１参照）を設けたものとしてもよい。
【００３２】
また、この取付座１０の底部１３の外底面には、回り止め突部１３ｃ、１３ｃ、・・・として、挿通孔１３ａから周縁まで放射尾根状の山部が、谷部を介して底部１３の全面に複数形成されている。なお、回り止め突部としては、図１（ｂ）のものやその他種々のものを適用できることは言うまでもない。
【００３３】
以上のように、この取付座１０にはスリット１４が形成されているため、取付座１０の外形の径をわずかに拡大、縮小させることができる。つまり、パイプ支持具２０のねじ部２２ａの径が内ねじ１２の径よりもわずかに大きい場合でも、取付座１０の外形を大きくするようにして、ねじ部２２ａを内ねじ１２に螺合させることでことができる。また、溝部３の溝幅が取付座１０の外形の径よりも小さい場合には、取付座１０を溝部３に合わせるように外形を小さくすることもできる。
【００３４】
また、取付座１０の底部１３の外底面には回り止め突部１３ｃ、１３ｃ、・・・が形成されているため、固定後の回転ずれや、パイプ支持具２０の螺進、螺退による供回りを防止することができる。
【００３５】
以上に説明した実施形態は、外装パネル２が下地壁１の表面に取り付けられるものであるが、外装パネル２単独で壁を構成するものであってもよい。その場合は、取付座１０に挿入したボルト（ねじ体）（不図示）を、外装パネル２の裏面側に配したナット（不図示）で螺合して、取付座１０を溝部３に固定するようにすればよい。
【００３６】
また、取付座１０を設置する溝部３は、板状の外装パネル２の溝部３に限られず、種々の壁に形成された溝部であってもよい。たとえば、下地壁１に設けた２枚の外装パネル間に形成された溝部であってもよい。
【符号の説明】
【００３７】
１０          取付座
１１          開口
１２          内ねじ
１３          底部
１３ａ        挿通孔
１３ｂ        鍔部
１３ｃ        回り止め突部
１３ｃａ      起立面
１６          ドリルビス（ねじ体）
２０          パイプ支持具
２１          取付部
２２          軸部
２２ａ        ねじ部
３０          パイプ抱持バンド
１            下地壁
２            外装パネル（建築構造物）
３            溝部
３ａ          溝底
【要約】
【課題】建築構造物の表面に形成された溝部へのパイプ支持具の取り付けがしやすい取付座の取付構造を提供する。
【解決手段】取付座１０は、パイプ支持具２０のねじ部２２ａを螺着させる内ねじ１２が形成された筒体よりなり、筒体の一端にはねじ部２２ａが挿入される開口１１を有し、他端には溝部３に固定するためのねじ体１６の軸部１６ａを、筒体内から外方に向けて挿通させる挿通孔１３ａが設けられ、外底面に回り止め突部１３ｃが形成された底部１３を有している。取付座１０は、底部１３を溝部３に配して起立させた状態で、挿通孔１３ａを通る軸を回転軸として回転できる寸法となっており、取付座１０が挿通孔１３ａより突出したねじ体１６で溝部３に固定されるようになっている。
【選択図】図１【図１】
0005895076.tif 000002
【図２】
0005895076.tif 000003
【図３】
0005895076.tif 000004
【図４】
0005895076.tif 000005